(57)【特許請求の範囲】
【請求項１】
予め一意に識別可能な識別情報が付与される複数の電柱のうち任意の２つの電柱の間に架設されるケーブルの近傍に存在する樹木を識別する樹木情報と、前記２つの電柱のそれぞれの識別情報とを対応付けた管理台帳情報を記憶する第１の記憶手段と、
前記複数の電柱の位置情報及び前記２つの電柱の間に架設されるケーブルの配線情報を含む地図の画像データと、前記電柱の位置情報と前記識別情報を対応付ける対応関係情報とを記憶する第２の記憶手段と、
前記第２の記憶手段から前記画像データを読み出し、前記第１の記憶手段から前記管理台帳情報を読み出し、読み出した前記管理台帳情報のそれぞれに含まれる２つの識別情報に対応する２つの位置情報を前記第２の記憶手段が記憶する前記対応関係情報から検出し、検出した前記２つの位置情報に基づいて、読み出した前記画像データに、読み出した前記管理台帳情報に含まれる樹木情報が示す当該樹木を示すシンボルを含めて、管理地図データを生成し、第３の記憶手段に記録する管理地図生成手段と、
前記管理地図生成手段が生成する前記管理地図データを画面に表示する表示手段と、
を備えたことを特徴とする架設設備管理装置。
【請求項２】
任意の２つの電柱の間に架設されるケーブルの近傍に存在する樹木を巡視者が巡視を行った際の日付情報と、当該巡視者が判断した前記樹木の伐採作業の必要度合いを示したランク情報と、当該巡視の際に前記巡視者が確認した樹木情報と、前記２つの電柱のそれぞれの識別情報とを入力する入力手段と、
前記入力手段が入力する前記２つの電柱のそれぞれの識別情報を含む前記第１の記憶手段の前記管理台帳情報に、前記日付情報と、前記ランク情報と、前記樹木情報とを記録する記録手段と、
前記第１の記憶手段が記憶する前記日付情報と、前記ランク情報とに基づいて、予め定められる日数後に前記伐採作業が必要となる前記樹木の樹木情報を含む管理台帳情報を検出する検出手段と、を備え、
前記管理地図生成手段は、
前記検出手段が検出した樹木情報に対応する樹木を示すシンボルのみが含まれる管理地図データを前記第３の記憶手段に記憶されている管理地図データに基づいて生成することを特徴とする請求項１に記載の架設設備管理装置。
【請求項３】
前記任意の２つの電柱の間に架設されるケーブルの近傍に存在する樹木の位置及び前記２つの電柱の位置に基づく位置関係情報と、当該樹木の樹木情報とを入力する第２の入力手段と、
前記第２の入力手段が入力する前記位置関係情報と前記樹木情報とを電柱個別情報として第４の記憶手段に記録する第２の記録手段と、
前記第４の記憶手段が記憶する前記電柱個別情報に基づいて、前記電柱個別情報に含まれる任意の２つの電柱と、前記電柱個別情報に含まれる前記樹木情報に対応する樹木を示すシンボルとが含まれる電柱個別地図データを生成し、第５の記憶手段へ記録する個別地図生成手段と、を備え、
前記表示手段は、
前記個別地図生成手段が生成した前記電柱個別地図データを画面に表示する
ことを特徴とする請求項１または２に記載の架設設備管理装置。
【請求項４】
前記管理地図生成手段は、
前記第４の記憶手段が記憶する前記位置関係情報と前記樹木情報とに基づいて、当該樹木情報に対応するシンボルを含む管理地図データを生成することを特徴とする請求項１から３のいずれか１つに記載の架設設備管理装置。
【請求項５】
前記樹木情報とは、
前記樹木の種別を示す種別情報、または前記樹木の高さを示す高さ情報であることを特徴とする請求項１から４のいずれか１つに記載の架設設備管理装置。
【請求項６】
前記樹木の前記種別情報ごとに当該樹木の生育率を示した生育率情報を予め記憶する第６の記憶手段を備え、
前記管理地図生成手段は、
前記第１の記憶手段が記憶する前記管理台帳情報に基づいて前記シンボルを含む管理地図データを生成する際に、前記管理台帳情報に含まれる前記樹木情報の種別情報に基づいて前記第６の記憶手段から対応する生育率を読み出し、読み出した生育率と、前記管理台帳情報に含まれる前記日付情報と、生成する際の日時情報とに基づいて、当該生成する際の日時までの当該樹木が生育した長さを算出し、算出した長さと前記管理台帳情報に含まれる前記樹木情報の高さ情報とを加えた当該樹木の高さ情報に基づく所定のシンボルを含む管理地図データを生成することを特徴とする請求項５に記載の架設設備管理装置。
【請求項７】
前記管理地図データが画面に表示されている状態にて、前記管理地図データに含まれるシンボルが、ユーザの操作を受けた入力手段により選択された際に、前記シンボルに対応する前記第１の記憶手段が記憶する管理台帳情報、または前記第４の記憶手段が記憶する電柱個別情報、または第５の記憶手段が記憶する電柱個別地図データのいずれかを読み出して表示手段に前記管理地図データから切り替えて表示させる切替手段
を更に備えたことを特徴とする請求項３から６のいずれか１つに記載の架設設備管理装置。
【請求項８】
予め一意に識別可能な識別情報が付与される複数の電柱のうち任意の２つの電柱の間に架設されるケーブルの近傍に存在する樹木を識別する樹木情報と、前記２つの電柱のそれぞれの識別情報とを対応付けた管理台帳情報を記憶する第１の記憶手段と、前記複数の電柱の位置情報及び前記２つの電柱の間に架設されるケーブルの配線情報を含む地図の画像データと、前記電柱の位置情報と前記識別情報を対応付ける対応関係情報とを記憶する第２の記憶手段と、を備えた架設設備管理装置における架設設備管理方法であって、
前記第２の記憶手段から前記画像データを読み出すステップと、
前記第１の記憶手段から前記管理台帳情報を読み出すステップと、
読み出した前記管理台帳情報のそれぞれに含まれる２つの識別情報に対応する２つの位置情報を前記第２の記憶手段が記憶する前記対応関係情報から検出するステップと、
検出した前記２つの位置情報に基づいて、読み出した前記画像データに、読み出した前記管理台帳情報に含まれる樹木情報が示す当該樹木を示すシンボルを含めて、管理地図データを生成するステップと、
生成した管理地図データを第３の記憶手段に記録するステップと、
生成した前記管理地図データを画面に表示するステップと、
を含むことを特徴とする架設設備管理方法。
【請求項９】
予め一意に識別可能な識別情報が付与される複数の電柱のうち任意の２つの電柱の間に架設されるケーブルの近傍に存在する樹木を識別する樹木情報と、前記２つの電柱のそれぞれの識別情報とを対応付けた管理台帳情報を記憶する第１の記憶手段と、前記複数の電柱の位置情報及び前記２つの電柱の間に架設されるケーブルの配線情報を含む地図の画像データと、前記電柱の位置情報と前記識別情報を対応付ける対応関係情報とを記憶する第２の記憶手段と、を備えた架設設備管理装置のコンピュータに、
前記第２の記憶手段から前記画像データを読み出すステップと、
前記第１の記憶手段から前記管理台帳情報を読み出すステップと、
読み出した前記管理台帳情報のそれぞれに含まれる２つの識別情報に対応する２つの位置情報を前記第２の記憶手段が記憶する前記対応関係情報から検出するステップと、
検出した前記２つの位置情報に基づいて、読み出した前記画像データに、読み出した前記管理台帳情報に含まれる樹木情報が示す当該樹木を示すシンボルを含めて、管理地図データを生成するステップと、
生成した管理地図データを第３の記憶手段に記録するステップと、
生成した前記管理地図データを画面に表示するステップと、
を実行させるためのコンピュータプログラム。
【発明の詳細な説明】
【技術分野】
【０００１】
本発明は、主に電柱に架設されるケーブルを管理する架設設備管理装置、架設設備管理方法及びそのコンピュータプログラムに関する。
【背景技術】
【０００２】
電柱には、電力線、電話線、光ファイバなどの様々なケーブルが取り付けられている。これらのケーブルは、ビル街のみならず、住宅街などにも張り巡らされており、電力サービスや通信サービスを安定して供給するためには、これらのケーブルを常に保守する必要があり、そのためにはまず、ケーブルが取り付けられる電柱の位置やケーブルの経路などを把握しておく必要がある。従来、電柱については、電柱ごとに個別の識別番号を付与し、その識別番号と実際に存在する住所とを対応付けておくことによりその所在をいつでも確認可能なようにしている（例えば、特許文献１参照）。また、ケーブルについては、架設される２つの電柱によって、その配置を特定するといったことが行われている。
【特許文献１】特開２００５−１８２５０号公報
【発明の開示】
【発明が解決しようとする課題】
【０００３】
ところで、上述したように、電柱やケーブルなどの架設設備は、住宅街、さらには山林にも設置されるため、電柱やケーブルを設置する際には、樹木などの障害物がケーブルに接触して障害が発生しないように、障害物を避ける経路を採用するか、あるいは障害物を取り除いて設置されることになる。しかし、例えば、障害物が樹木などの場合、月日が経過するに従って生育するため、設置時にはケーブルから離れていた樹木であってもケーブルに接触して切断などの障害を発生させてしまうことがある。
【０００４】
しかしながら、上記の従来技術などでは、電柱やケーブルなどの架設設備を管理する際に、その付近に存在し障害を及ぼす可能性のある樹木の所在を、架設設備に対応付けて管理することができないという問題がある。
【０００５】
本発明は、上記問題を解決するためになされたもので、その目的は、電柱やケーブルなどの架設設備を管理する際に、その付近に存在する樹木の状態も合わせて管理することが可能な架設設備管理装置、架設設備管理方法及びそのコンピュータプログラムを提供することにある。
【課題を解決するための手段】
【０００６】
上記問題を解決するために、本発明は、予め一意に識別可能な識別情報が付与される複数の電柱のうち任意の２つの電柱の間に架設されるケーブルの近傍に存在する樹木を識別する樹木情報と、前記２つの電柱のそれぞれの識別情報とを対応付けた管理台帳情報を記憶する第１の記憶手段と、前記複数の電柱の位置情報及び前記２つの電柱の間に架設されるケーブルの配線情報を含む地図の画像データと、前記電柱の位置情報と前記識別情報を対応付ける対応関係情報とを記憶する第２の記憶手段と、前記第２の記憶手段から前記画像データを読み出し、前記第１の記憶手段から前記管理台帳情報を読み出し、読み出した前記管理台帳情報のそれぞれに含まれる２つの識別情報に対応する２つの位置情報を前記第２の記憶手段が記憶する前記対応関係情報から検出し、検出した前記２つの位置情報に基づいて、読み出した前記画像データに、読み出した前記管理台帳情報に含まれる樹木情報が示す当該樹木を示すシンボルを含めて、管理地図データを生成し、第３の記憶手段に記録する管理地図生成手段と、前記管理地図生成手段が生成する前記管理地図データを画面に表示する表示手段と、を備えたことを特徴とする架設設備管理装置である。
【０００７】
また、本発明は、上記に記載の発明において、任意の２つの電柱の間に架設されるケーブルの近傍に存在する樹木を巡視者が巡視を行った際の日付情報と、当該巡視者が判断した前記樹木の伐採作業の必要度合いを示したランク情報と、当該巡視の際に前記巡視者が確認した樹木情報と、前記２つの電柱のそれぞれの識別情報とを入力する入力手段と、前記入力手段が入力する前記２つの電柱のそれぞれの識別情報を含む前記第１の記憶手段の前記管理台帳情報に、前記日付情報と、前記ランク情報と、前記樹木情報とを記録する記録手段と、前記第１の記憶手段が記憶する前記日付情報と、前記ランク情報とに基づいて、予め定められる日数後に前記伐採作業が必要となる前記樹木の樹木情報を含む管理台帳情報を検出する検出手段と、を備え、前記管理地図生成手段は、前記検出手段が検出した樹木情報に対応する樹木を示すシンボルのみが含まれる管理地図データを前記第３の記憶手段に記憶されている管理地図データに基づいて生成することを特徴とする。
【０００８】
また、本発明は、上記に記載の発明において、前記任意の２つの電柱の間に架設されるケーブルの近傍に存在する樹木の位置及び前記２つの電柱の位置に基づく位置関係情報と、当該樹木の樹木情報とを入力する第２の入力手段と、前記第２の入力手段が入力する前記位置関係情報と前記樹木情報とを電柱個別情報として第４の記憶手段に記録する第２の記録手段と、前記第４の記憶手段が記憶する前記電柱個別情報に基づいて、前記電柱個別情報に含まれる任意の２つの電柱と、前記電柱個別情報に含まれる前記樹木情報に対応する樹木を示すシンボルとが含まれる電柱個別地図データを生成し、第５の記憶手段へ記録する個別地図生成手段と、を備え、前記表示手段は、前記個別地図生成手段が生成した前記電柱個別地図データを画面に表示することを特徴とする。
【０００９】
また、本発明は、上記に記載の発明において、前記管理地図生成手段は、前記第４の記憶手段が記憶する前記位置関係情報と前記樹木情報とに基づいて、当該樹木情報に対応するシンボルを含む管理地図データを生成することを特徴とする。
【００１０】
また、本発明は、上記に記載の発明において、前記樹木情報とは、前記樹木の種別を示す種別情報、または前記樹木の高さを示す高さ情報であることを特徴とする。
【００１１】
また、本発明は、上記に記載の発明において、前記樹木の前記種別情報ごとに当該樹木の生育率を示した生育率情報を予め記憶する第６の記憶手段を備え、前記管理地図生成手段は、前記第１の記憶手段が記憶する前記管理台帳情報に基づいて前記シンボルを含む管理地図データを生成する際に、前記管理台帳情報に含まれる前記樹木情報の種別情報に基づいて前記第６の記憶手段から対応する生育率を読み出し、読み出した生育率と、前記管理台帳情報に含まれる前記日付情報と、生成する際の日時情報とに基づいて、当該生成する際の日時までの当該樹木が生育した長さを算出し、算出した長さと前記管理台帳情報に含まれる前記樹木情報の高さ情報とを加えた当該樹木の高さ情報に基づく所定のシンボルを含む管理地図データを生成することを特徴とする。
【００１２】
また、本発明は、上記に記載の発明において、前記管理地図データが画面に表示されている状態にて、前記管理地図データに含まれるシンボルが、ユーザの操作を受けた入力手段により選択された際に、前記シンボルに対応する前記第１の記憶手段が記憶する管理台帳情報、または前記第４の記憶手段が記憶する電柱個別情報、または第５の記憶手段が記憶する電柱個別地図データのいずれかを読み出して表示手段に前記管理地図データから切り替えて表示させる切替手段を更に備えたことを特徴とする。
【００１３】
また、本発明は、予め一意に識別可能な識別情報が付与される複数の電柱のうち任意の２つの電柱の間に架設されるケーブルの近傍に存在する樹木を識別する樹木情報と、前記２つの電柱のそれぞれの識別情報とを対応付けた管理台帳情報を記憶する第１の記憶手段と、前記複数の電柱の位置情報及び前記２つの電柱の間に架設されるケーブルの配線情報を含む地図の画像データと、前記電柱の位置情報と前記識別情報を対応付ける対応関係情報とを記憶する第２の記憶手段と、を備えた架設設備管理装置における架設設備管理方法であって、前記第２の記憶手段から前記画像データを読み出すステップと、前記第１の記憶手段から前記管理台帳情報を読み出すステップと、読み出した前記管理台帳情報のそれぞれに含まれる２つの識別情報に対応する２つの位置情報を前記第２の記憶手段が記憶する前記対応関係情報から検出するステップと、検出した前記２つの位置情報に基づいて、読み出した前記画像データに、読み出した前記管理台帳情報に含まれる樹木情報が示す当該樹木を示すシンボルを含めて、管理地図データを生成するステップと、生成した管理地図データを第３の記憶手段に記録するステップと、生成した前記管理地図データを画面に表示するステップと、を含むことを特徴とする架設設備管理方法である。
【００１４】
また、本発明は、予め一意に識別可能な識別情報が付与される複数の電柱のうち任意の２つの電柱の間に架設されるケーブルの近傍に存在する樹木を識別する樹木情報と、前記２つの電柱のそれぞれの識別情報とを対応付けた管理台帳情報を記憶する第１の記憶手段と、前記複数の電柱の位置情報及び前記２つの電柱の間に架設されるケーブルの配線情報を含む地図の画像データと、前記電柱の位置情報と前記識別情報を対応付ける対応関係情報とを記憶する第２の記憶手段と、を備えた架設設備管理装置のコンピュータに、前記第２の記憶手段から前記画像データを読み出すステップと、前記第１の記憶手段から前記管理台帳情報を読み出すステップと、読み出した前記管理台帳情報のそれぞれに含まれる２つの識別情報に対応する２つの位置情報を前記第２の記憶手段が記憶する前記対応関係情報から検出するステップと、検出した前記２つの位置情報に基づいて、読み出した前記画像データに、読み出した前記管理台帳情報に含まれる樹木情報が示す当該樹木を示すシンボルを含めて、管理地図データを生成するステップと、生成した管理地図データを第３の記憶手段に記録するステップと、生成した前記管理地図データを画面に表示するステップと、を実行させるためのコンピュータプログラムである。
【発明の効果】
【００１５】
この発明によれば、架設設備管理装置は、予め一意に識別可能な識別情報が付与される複数の電柱のうち任意の２つの電柱の間に架設されるケーブルの近傍に存在する樹木を識別する樹木情報と、２つの電柱のそれぞれの識別情報とを対応付けた管理台帳情報を記憶する第１の記憶手段と、複数の電柱の位置情報及び２つの電柱の間に架設されるケーブルの配線情報を含む地図の画像データと、電柱の位置情報と識別情報を対応付ける対応関係情報とを記憶する第２の記憶手段と、第２の記憶手段から画像データを読み出し、第１の記憶手段から管理台帳情報を読み出し、読み出した管理台帳情報のそれぞれに含まれる２つの識別情報に対応する２つの位置情報を第２の記憶手段が記憶する対応関係情報から検出し、検出した２つの位置情報に基づいて、読み出した画像データに、読み出した管理台帳情報に含まれる樹木情報が示す当該樹木を示すシンボルを含めて、管理地図データを生成し、第３の記憶手段に記録する管理地図生成手段と、前記管理地図生成手段が生成する前記管理地図データを画面に表示する表示手段とを備える構成とした。これにより、任意の２つの電柱の間に架設されるケーブルに対して障害を及ぼす可能性のある樹木の状態をシンボルにより地図データに表示することができ、電柱やケーブルなどの架設設備を管理する際に、その付近に存在する樹木の状態も合わせて管理し、視認によりその状態を確認し易くすることができる。
【００１６】
また、この発明によれば、架設設備管理装置は、任意の２つの電柱の間に架設されるケーブルの近傍に存在する樹木を巡視者が巡視を行った際の日付情報と、当該巡視者が判断した樹木の伐採作業の必要度合いを示したランク情報と、当該巡視の際に前記巡視者が確認した樹木情報と、２つの電柱のそれぞれの識別情報とを入力する入力手段と、入力手段が入力する２つの電柱のそれぞれの識別情報を含む第１の記憶手段の管理台帳情報に、日付情報と、ランク情報と、樹木情報とを記録する記録手段と、第１の記憶手段が記憶する日付情報と、ランク情報とに基づいて、予め定められる日数後に伐採作業が必要となる前記樹木の樹木情報を含む管理台帳情報を検出する検出手段と、を備えており、管理地図生成手段は、検出手段が検出した樹木情報に対応する樹木を示すシンボルのみが含まれる管理地図データを第３の記憶手段に記憶されている管理地図データに基づいて生成する構成とした。これにより、巡視を行う予め定められる日数後に、障害が生じる可能性がある樹木を検出することができ、さらに、検出した樹木に対応するシンボルのみを表示した管理地図データを表示させることで、該当する箇所を視認により確認し易くすることができる。
【００１７】
また、この発明によれば、架設設備管理装置は、任意の２つの電柱の間に架設されるケーブルの近傍に存在する樹木の位置及び２つの電柱の位置に基づく位置関係情報と、当該樹木の樹木情報とを入力する第２の入力手段と、第２の入力手段が入力する位置関係情報と樹木情報とを電柱個別情報として第４の記憶手段に記録する第２の記録手段と、第４の記憶手段が記憶する電柱個別情報に基づいて、電柱個別情報に含まれる任意の２つの電柱と、電柱個別情報に含まれる樹木情報に対応する樹木を示すシンボルとが含まれる電柱個別地図データを生成し、第５の記憶手段へ記録する個別地図生成手段と、を備えており、表示手段は、個別地図生成手段が生成した前記電柱個別地図データを画面に表示する構成とした。これにより、２つの電柱の間における詳細な電柱とケーブルと樹木の位置関係を示した個別地図データを表示することができ、電柱ごとの詳細な樹木の状態を視認により確認し易くすることが可能となる。
【００１８】
また、この発明によれば、架設設備管理装置は、管理地図生成手段は、第４の記憶手段が記憶する位置関係情報と樹木情報とに基づいて、当該樹木情報に対応するシンボルを含む管理地図データを生成する構成とした。これにより、電柱個別情報を記録する際に、管理地図データに対して反映することが可能となり、管理地図データを参照することで電柱ごとの個別の状態の変化を参照することができる。
【００１９】
また、この発明によれば、架設設備管理装置における樹木情報とは、樹木の種別を示す種別情報、または前記樹木の高さを示す高さ情報である構成とした。これにより、樹木の種別や高さを示すシンボルを含んだ管理地図データや電柱個別地図データを生成することが可能となる。
【００２０】
また、この発明によれば、架設設備管理装置は、樹木の前記種別情報ごとに当該樹木の生育率を示した生育率情報を予め記憶する第６の記憶手段を備え、管理地図生成手段は、
第１の記憶手段が記憶する前記管理台帳情報に基づいてシンボルを含む管理地図データを生成する際に、管理台帳情報に含まれる樹木情報の種別情報に基づいて第６の記憶手段から対応する生育率を読み出し、読み出した生育率と、管理台帳情報に含まれる日付情報と、生成する際の日時情報とに基づいて、当該生成する際の日時までの当該樹木が生育した長さを算出し、算出した長さと管理台帳情報に含まれる樹木情報の高さ情報とを加えた当該樹木の高さ情報に基づく所定のシンボルを含む管理地図データを生成する構成とした。これにより、予測される樹木の生育状態を反映した管理地図データを表示することができ、巡視が必要となる箇所を視認により容易に確認することが可能となる。
【００２１】
また、この発明によれば、架設設備管理装置は、管理地図データが画面に表示されている状態にて、管理地図データに含まれるシンボルが、ユーザの操作を受けた入力手段により選択された際に、シンボルに対応する第１の記憶手段が記憶する管理台帳情報、または前記第４の記憶手段が記憶する電柱個別情報、または第５の記憶手段が記憶する電柱個別地図データのいずれかを読み出して表示手段に管理地図データから切り替えて表示させる切替手段を備える構成とした。これにより、管理地図データのシンボルが選択されることで、対応する管理台帳情報、電柱個別情報、電柱個別地図データを切り替えて表示することが可能となり、管理地図データに基づく各情報の統合管理を行い易くすることができる。
【発明を実施するための最良の形態】
【００２２】
以下、本発明の一実施形態を図面を参照して説明する。
図１は、本実施形態による架設設備管理装置１の構成を示したブロック図である。
架設設備管理装置１は、例えば、ＣＲＴ（Cathode Ray Tube）や液晶ディスプレイ等の表示装置１と、架設設備に関する情報の管理や処理を行う制御装置２０とを備えている。
【００２３】
制御装置２０において、表示部２１は、表示装置１０に接続され、入力される情報に従って、表示装置１０の画面に出力を行う。入力部２４は、例えば、マウスやキーボード等の入力デバイスが接続され、当該装置の操作者が行う入力デバイスの操作を検出し、検出に応じた情報を入力する。記録部２７は、入力部２４から入力される情報を、後述する管理台帳情報ＤＢ（Data Base）３０や電柱個別情報ＤＢ３３に記録する。
【００２４】
管理地図生成部２３は、管理台帳情報ＤＢ３０が記憶している電柱やケーブルの付近に存在する樹木情報に基づいて、地図データ・対応関係情報ＤＢ３１に記憶される地図データに樹木を示すシンボルが描画、すなわち当該シンボルを含む管理地図データを生成し、管理地図データＤＢ３２に記録する。また、管理地図生成部２３は、管理地図データＤＢ３２に記録されている管理地図データに基づいて、後述する検出部２２により検出された樹木に対応するシンボルのみを表示させ、樹木の高さの値が記録された日から予め定められる日程までに当該樹木が生長する長さを算出し、記録されている樹木の高さの値に算出した長さを加えた高さの値の情報に対応するシンボルを管理地図データに表示させる。
【００２５】
個別地図生成部２６は、電柱個別情報ＤＢ３３が記憶する任意の２つの電柱の間の樹木の情報等を含む電柱個別情報に基づいて、当該２つの電柱と、それらの電柱の間に存在する樹木の位置関係を示す電柱個別地図データを生成し、電柱個別地図データＤＢ３４に記録する。検出部２２は、入力部２４から入力される障害が発生する可能性のある樹木を抽出するための条件情報に基づいて、管理台帳情報ＤＢ３０から該当する管理台帳情報を検出する。
【００２６】
切替部２５は、管理地図データＤＢ３２が記憶する管理地図データが表示部２１により表示装置１０の画面に表示されている場合に、操作者がマウス等で管理地図データに含まれるシンボルを選択すると、入力部２４から管理台帳情報を表示する指示情報が入力され、管理地図データに対応する管理台帳情報を管理台帳情報ＤＢ３０から読み出し、読み出した管理台帳情報を表示部２１に出力させる。また、逆に、管理台帳情報が表示されている際に、入力部２４からの指示情報に従って、対応する管理地図データを表示部２１に出力させる。また、切替部２５は、入力部２４からの指示情報に従って、管理台帳情報と管理地図データの間の表示の切り替えだけでなく、さらに、管理地図データに含まれるシンボルから、電柱個別情報ＤＢ３３が記憶する電柱個別情報、または電柱個別地図データＤＢ３４が記憶する電柱個別地図データを切り替えて表示させることもできる。
【００２７】
なお、切替部２５による上記の管理台帳情報、管理地図データ、電柱個別情報、電柱個別地図データの間における切り替えは、管理台帳情報、管理地図データ、電柱個別情報、電柱個別地図データの各情報にポインタなどの参照情報を記録する項目を設け、エントリごとに対応する情報への参照情報を記録しておき、切り替えの際に切替部２５が当該参照情報を参照することで相互に情報を読み出し、切り替えて表示することができる。当該項目への参照情報の記録は、管理地図生成部２３が管理地図データを生成、及び個別地図生成部２６が電柱個別地図データを生成する際に管理地図生成部２３及び個別地図生成部２６がそれぞれの情報の当該項目に記録することになる。
【００２８】
次に、図２から図５を参照して、制御装置２０が備える管理台帳情報ＤＢ３０、地図データ・対応関係情報ＤＢ３１、電柱個別情報ＤＢ３３、生育率情報ＤＢ３５が記憶する情報について説明する。
【００２９】
まず、図２は、管理台帳情報ＤＢ３０が記憶する管理台帳情報のデータ構成を示した図である。管理台帳情報は、「Ｎｏ．」、「第１電柱識別情報」、「第２電柱識別情報」、「樹木」、「樹木障害住所」、「所有者情報」、「敷地区分」、「巡視日」、「備考」の項目を含むエントリを有している。「Ｎｏ．」は、エントリごとの番号が付与され、当該番号によりケーブルを特定することができる。「第１電柱識別情報」及び「第２電柱識別情報」には、当該エントリにおいて特定される１つのケーブルが架設される２つの電柱を特定するため、電柱ごとに予め付与される電柱を一意に識別可能な電柱識別情報がそれぞれに記録される。ここで、電柱識別情報としては、例えば、図２に示すように「０１００−１５」のようなＩＤ（ＩＤｅｎｔｉｆｉｃａｔｉｏｎ）で表され、「０１００」の部分は、後述する地図データを特定するエリアＩＤであり、「１５」の部分が当該エリアにおいて一意に電柱を識別する電柱番号であり、これらを組み合わせることで、管理台帳情報において一意に識別可能な電柱識別情報が構成される。
【００３０】
「樹木」は、さらに２つの項目「種別」と「高さ」を有しており、「種別」には樹木ごとに予め付与される樹木種別情報が記録される。樹木種別情報としては、例えば「１：竹」、「２：常緑樹」、「３：落葉樹」、「４：つる」などのように予め種別ごとに番号を付与し、当該番号が「種別」の項目に記録される。「高さ」には、当該樹木の高さの値が記録される。
【００３１】
「樹木障害住所」は、当該エントリのケーブルに障害を及ぼす可能性のある樹木が存在する付近の住所が記録される。「所有者情報」には、当該エントリの樹木の所有者の氏名や名称などの情報が記録される。この所有者の情報を巡視者が参照することで、例えば、当該樹木が個人所有のものであるか、国や県などの所有のものであるかを判断することができる。「敷地区分」には、予め敷地の種類ごとに分類される敷地分類情報が記録される。ここで敷地分類情報としては「１：街路樹」、「２：公園」、「３：山林」、「４：その他」、「５：庭木」、「山林」、「７：その他」などのように種別ごとに予め分類を行っておき、当該番号が「敷地区分」に記録される。また、番号１〜４までは官公有地、番号５〜７を私有地としておくことで、巡視者が「敷地区分」を参照して、敷地の区分を判断することができる。「所有者情報」や「敷地区分」の情報は、例えば、樹木が国や県などに所有されている場合、当該樹木を伐採する前に、予め申請処理を行わなければならず、作業計画を立てる際に、申請処理に要する時間を含める必要があるなどの判断を促す情報となる。
【００３２】
「巡視日」は、「前回」と「今回」の項目を有している。「前回」の項目には、さらに「巡視日」と「ランク」と「伐採日」の項目があり、「巡視日」には、前回、巡視した日の日付情報が記録される。「ランク」には、伐採等の処理の必要性を示すランク情報が記録される。ランク情報としては、例えば「Ａ：至急不良」、「Ｂ：普通不良」、「Ｃ：運用上不備」、「Ｄ：支障なし」などのように処理の必要性のランクの分けを予め行っておき、Ａ、Ｂ、Ｃ、Ｄの文字が「ランク」に記録される。「伐採日」には、伐採を行った日付情報が記録される。
【００３３】
「今回」の項目にも、さらに、「巡視日」、「ランク」、「交渉結果」、「伐採日」の項目があり、「巡視日」には、今回の巡視日が記録され、「ランク」には今回巡視を行った際のランク情報が記録され、「伐採日」には、伐採をおこなった日の日付情報が記録される。「交渉結果」には、今回の巡視において所有者などと交渉を行った際に巡視者が記録しておきたい文字情報等の任意の情報が記録される。
【００３４】
「備考」には、巡視者が記録しておきたい任意の情報が記録され、例えば、伐採のための申請を国や県などに行っている場合に、それらの申請処理の進捗や履歴を示す情報が記録される。
【００３５】
次に、図３は、地図データ・対応関係情報ＤＢ３１が記憶する地図データと対応関係情報のデータ構成を示した図である。図３（ａ）は地図データであり、区や町ごとに付与されるエリアＩＤと、地図の画像データが記憶される。この地図の画像データには、予め電柱が配置位置が描かれており、また、ケーブルの設置された経路が描かれている。図３（ｂ）は、対応関係情報であり、電柱ごとに、上述した電柱識別情報と、地図データの地図の画像データにおける電柱が配置される位置情報とが対応付けて記録される。
【００３６】
次に、図４は、電柱個別情報ＤＢ３３が記憶する電柱個別情報のデータ構成を示した図である。電柱個別情報は、電柱ごとに、当該電柱と、その付近に存在する障害となる可能性のある樹木の配置状態を示した位置関係情報を示すため、電柱識別情報ごとに「Ｎｏ．」、「線種」、「上位線」、「方位」、「距離」、「伐採区間」、「距離」、「所有者番号」、「樹木」、「竹根切・つる」、「根切・芯止め本数」の項目を含むエントリを有する。「Ｎｏ．」には、当該電柱を開始点とする線ごとに付与される番号が記録される。「線種」には、「本線」、あるいは「引込み線」を示す情報が記録される。ここで、「本線」とは、隣接する電柱との間を接続するケーブルのことであり、「引き込み線」とは、本線から当該電柱を経由して住居などにケーブルを引き込む際の当該ケーブルのことである。
【００３７】
「上位線」には、例えば、本線からの引き込み線が更に分岐される場合に、当該引込み線がどの引込み線から分岐しているものかを示すため、分岐元の線に対応する「Ｎｏ．」
の値が記録される。なお、本線からの引き込み線の場合には、本線の「Ｎｏ．」の値が記録され、本線には、何も記録されない。
【００３８】
「方位」には、本線の場合には何も記録されず、引込み線の場合に、引込み線の開始点を中心とし、電柱を基準に北方向を上にした場合に、引込み線が存在する方角を示す情報を、時計の短針が１２時の時点を北とした際に短針の時刻ごとの位置で示した情報が記録される。すなわち、１〜１２のいずれかの情報が記録されることになる。「距離」、「伐採区間」、「距離」には、電柱の位置からケーブルに障害を及ぼす可能性がある樹木との位置関係を表す情報が記憶される。すなわち、最初の「距離」には、電柱から当該樹木とケーブルが交わり始める箇所までの距離が記録され、「伐採区間」には、ケーブルと樹木が交わっている長さ（以下、伐採区間と記載）が記録され、次の「距離」には、伐採区間の終端の位置から、当該線の終端までの距離が記録される。
【００３９】
「所有者番号」には、例えば、引き込み線の終端点に存在する信号機や、住居の所有者の名称などに予め付与されている番号が記録される。なお、引込み線の終端点に存在する信号機や、住居の所有者の名称に予め付与される番号は、操作者が電柱個別情報を入力する際に、内部に記憶する対応表情報に、「１：長嶋宅、２：信号機・・・」などのように入力することにより、任意に付与することが可能である。
【００４０】
「樹木」の項目は、さらに「種別」、「高さ」の項目があり、当該項目の樹木に対して、上述した管理台帳情報の「種別」、「高さ」に相当する情報が記録される。「竹根切・つる」の項目には、当該樹木が竹の場合に竹の根切りを行った本数や、当該樹木がつるを有する場合につるを取り除いた本数などの情報が記録される。「根切・芯止本数」の項目には、当該樹木において、根切りや芯止めを行った根や芯の長さごとの本数などが記録される。
【００４１】
次に、図５は、生育率情報ＤＢ３５が記憶する生育率情報のデータ構成を示した図である。生育率情報は、「樹木種別」と「生育率」の項目を有しており、樹木ごとの種別情報と、当該樹木の生育率、例えば１日当たりに成長する長さを示した値が対応付けて記憶される。
【００４２】
次に、図６から図９を参照して、管理地図生成部２３によって生成される管理地図データについて説明する。図６は、図３において説明した地図データに含まれるエリアごとの地図の画像データである。当該画像データは、主に道路が線で描かれた線図の画像と、○あるいは●で描かれた電柱と、電柱と電柱の間の線で描かれた任意の２つの電柱に架設されるケーブルとの情報が含まれている。また、○あるいは●で描かれた電柱には、それぞれ当該エリア内で電柱ごとに付与された電柱番号が表示される。なお、これらの電柱やケーブルの座標情報や、○や●のシンボルの情報や、ケーブルの線の情報や、電柱番号の情報はオブジェクトデータで地図データに含まれており、当該オブジェクトデータに基づいて、道路が線で描かれた線図の画像上に、電柱やケーブルが描かれることになる。
【００４３】
図７は、管理地図データにおいて描かれる樹木を示すシンボルを示した図である。図７に示すように樹木の種別情報に対応するシンボルの画像データが管理地図生成部２３の内部に種別情報に対応付けて予め記録される。
【００４４】
図８（ａ）は、管理地図生成部２３が、管理台帳情報ＤＢ３０から管理台帳情報を読み出し、読み出した管理台帳情報に含まれる「第１電柱識別情報」と「第２電柱識別情報」とに記憶される２つの電柱識別情報に対応する地図の画像データ上の位置に、同じく管理台帳情報に含まれる「樹木」に記憶される種別情報に対応する樹木のシンボルが描かれた状態を示した図である。樹木のシンボルは、電柱１００及び電柱１０１を示す○を接続する線に平行に１本の線が描かれ、描かれた線に接続するように配置される。このとき、電柱１００及び電柱１０１を接続するケーブルを示す線を黒で描き、シンボルとシンボルに接続する線の色をケーブルの種類、例えば高圧電線、電灯電線、動力電線によって分けて表示装置１０の画面に表示することにより、操作者は、視認によりケーブルの種類を容易に見分けることが可能となる。なお、このときケーブルの種類は、管理台帳情報に新たな項目を設けて記録されている必要がある。
【００４５】
図８（ｂ）は、１つのケーブルに対して２つ以上の樹木が存在する場合のシンボルの配置を示した図であり、２つのシンボルが重なって表示されるのではなく、電柱１００及び電柱１０１との間で均等な位置になるように管理地図生成部２３が演算を行い、それぞれのシンボルが演算結果に基づく位置に表示されることになる。
【００４６】
図９は、管理地図生成部２３により生成される管理地図データを示した図であり、図６で示した地図データの画像データ上に、管理台帳情報に基づいて付加された樹木を示すシンボルが描かれる。これらの樹木のシンボルの情報は、管理地図生成部２３が、上述した地図データに含まれるオブジェクトデータに、樹木を示す座標情報、シンボル等を付加することにより描かれることになる。
【００４７】
なお、当該管理地図データは、管理地図生成部２３によってエリアＩＤごとに管理地図データＤＢ３２に記録され、管理地図生成部２３あるいは切替部２５がエリアＩＤを指定することにより読み出して表示装置１０の画面に表示することも可能である。
【００４８】
次に、図１０を参照して、個別地図生成部２６によって生成される電柱個別地図データについて説明する。図１０は、電柱個別地図データが画面に表示された電柱個別地図データ表示画面３００を示した図である。図１０の電柱個別地図データ表示画面３００に示されるように電柱個別地図データは、電柱個別地図データ表示画面３００のなかで画像表示領域３０１に表示される画像データと、情報表示領域３０２に表示される電柱と伐採対象となる樹木の位置関係や、伐採作業の進捗状況等の情報とを有している。画像表示領域３０１の画像データは、上述した電柱個別情報ＤＢ３３が記憶する電柱個別情報のエントリの情報に基づいて、個別地図生成部２６が本線を接続する２つの電柱の間における樹木の位置関係や伐採区間などを含むオブジェクトデータを生成し、当該オブジェクトデータに基づいて表示される。
【００４９】
情報表示領域３０２の情報は、個別地図生成部２６が電柱個別情報ＤＢ３３が記憶する電柱個別情報に含まれている本線や引込み線における伐採区間の長さ等の情報に基づいて生成される情報であり、当該生成される情報と、個別地図生成部２６により生成された画像データとが対応付けられ電柱個別地図データとして個別地図生成部２６が電柱個別地図データＤＢ３４に記録する。
【００５０】
なお、情報表示領域３０２の「処理」の欄や「施行時」の欄には実際に伐採処理を行った距離の情報を、操作者が作業終了後に入力デバイスを操作して入力部２４から入力させて、電柱個別地図データに付加するようにすることもできる。そのとき、「設計時」の欄や「施行時」の欄に入力される値は、図４の電柱個別情報に新たな項目を設けて個別地図生成部２６により記録されるようにしてもよい。これらの情報は、操作者が所定の操作を行うことで複数の電柱個別情報から集計され、月ごとの処理工数を算出することに利用することも可能である。
【００５１】
具体的に図４の電柱個別情報の電柱番号が「０１００−１５」のエントリを参照して、図１０に示す画像との対応について説明する。まず、電柱番号「１５」と電柱番号「１６」の２つの電柱２０１と電柱２０２が丸の絵柄で描かれ、本線を示す太線２０５が電柱２０１と電柱２０２の絵柄を接続するように描かれる。そして、「Ｎｏ．」の「１」には、「線種」として「本線」が記録されているので、電柱２０１を基点として、電柱２０２の方向へ８ｍの位置から８＋５、すなわち１３ｍの間に、伐採区間の楕円の絵柄２０３が描かれる。そして、当該楕円の絵柄２０３の近傍には、「樹木」の「種別」に「１」が記録されているため「１」に対応する樹木の名称、ここでは「竹」の文字が表示される。
【００５２】
次に、図４の電柱個別情報の「０１００−１５」に含まれる「Ｎｏ．」の「２」には、「線種」として「引込み線」が記録されており、「上位線」は、「１」、すなわち本線であるため、電柱２０１から時計の短針の２時の方向に引き込み線を示す線２０６が描かれる。そして、電柱２０１から５ｍの位置から５＋３、すなわち８ｍの位置の間に、伐採区間の楕円の絵柄２０４が描かれる。そして、終端の位置に「所有者番号」の「１」に対応する「長嶋宅」が表示される。また、「樹木」の「種別」には、「２」が記録されているため、「２」に対応する樹木の名称、ここでは「常緑樹」の文字が表示される。
【００５３】
次に、図１１から図１４を参照しつつ、架設設備管理装置１の動作について説明する。
図１１は、管理地図データを生成する手順を示した図である。
最初に、巡視者が電柱及び電柱に架設されるケーブルの付近の樹木の状態を巡視する。そして、巡視者、あるいは巡視者から依頼された架設設備管理装置１の操作者（以下、操作者と記載）は、巡視した結果情報を入力するため、架設設備管理装置１の入力デバイスを操作し、当該操作を受けた入力部２４は、巡視結果情報、すなわち、第１電柱識別情報、第２電柱識別情報、樹木の種別情報、高さ情報、樹木障害住所、所有者情報、敷地区分等の情報を入力する。記録部２７は、入力部２４が入力する情報を管理台帳情報ＤＢ３０の対応するエントリに記録する。また、このとき、巡視者は、巡視日、ランク情報、交渉結果の情報（障害対策処置の記録）などの情報も入力し、それらの情報も記録部２７が管理台帳情報ＤＢ３０に記録する（ステップＳａ１）。
【００５４】
管理台帳情報ＤＢ３０に管理台帳情報が記録された後に、操作者が入力デバイスを操作することにより入力部２４が管理地図データの生成指示を管理地図生成部２３に入力する。当該管理地図データの生成指示が入力される管理地図生成部２３は、地図データ・対応関係情報ＤＢ３１から、最初のエリアＩＤの地図データを読み出し、当該エリアＩＤに基づいて、第１電柱識別情報、または第２電柱識別情報が当該エリアＩＤを含んでいる管理台帳情報を管理台帳情報ＤＢ３０から検索し、該当する管理台帳情報を読み出す。そして、管理台帳生成部２３は、読み出した管理台帳情報に含まれる第１電柱識別情報及び第２電柱識別情報に対応する座標情報を、地図データ・対応関係情報ＤＢ３１の対応関係情報から読み出し、読み出した座標情報に基づいて、地図データに管理台帳情報の樹木の種別情報に対応する樹木のシンボルの情報を地図データのオブジェクトデータに付加することにより、シンボルが描かれた管理地図データを生成する（ステップＳａ２）。そして、管理地図生成部２３は、１つのエリアＩＤの管理地図データを生成すると、生成した管理地図データを表示部２１により表示装置１０の画面に出力させ、さらに、生成した管理地図データをエリアＩＤと対応付けて管理地図データＤＢ３２に記録する（ステップＳａ３）。
【００５５】
また、操作者は、表示装置１０の画面に表示された管理地図データにおいて、マウス等の入力デバイスを操作して、電柱あるいは電柱と電柱の間のケーブルを選択すると、入力部２４が管理台帳情報への切替指示を入力し、当該入力を受けた切替部２５は、選択される電柱あるいはケーブルを架設する電柱の電柱識別情報を含む管理台帳情報を管理台帳情報ＤＢ３０から検索し、検索した管理台帳情報を表示部２１により表示装置１０の画面に出力させることもできる。
【００５６】
また逆に、管理台帳情報が表示装置１０の画面に表示されている状態にて、管理台帳情報の特定のエントリが選択されると、入力部２４が管理地図データへの切替指示を入力し、当該入力を受けた切替部２５は、選択されたエントリの第１電柱識別情報、または第２電柱識別情報に含まれるエリアＩＤの管理地図データを管理地図データＤＢ３２から読み出し、読み出した管理地図データを表示部２１により表示装置１０の画面に表示させることもできる。
【００５７】
上記の手順により、管理地図データを生成することができ、一度生成した管理地図データは、操作者が操作することにより、管理台帳情報ＤＢ３０の管理台帳情報に基づいて生成することなく、管理地図データＤＢ３２から読み出すことでいつでも表示装置１０の画面に表示させることが可能となる。
【００５８】
次に、図１２を参照し、定期巡視点検において行われえる管理台帳情報および管理地図データの更新、及び電柱個別地図データの生成の手順について説明する。
【００５９】
最初に、操作者が、定期の保守を巡視者に行わせるための巡視箇所を抽出した巡視点検用帳簿を作成するため、入力デバイスを操作すると、入力部２４が検出部２２に検出指示を入力する。当該検出指示には、例えば、エリアＩＤ、作業予定日及び経過日数などの検出条件が含まれている。検出部２２は、検出指示に含まれる検出条件に従って、管理台帳情報ＤＢ３０から該当する管理台帳情報を検出し、表示部２１により表示装置１０の画面に出力する。操作者は、画面に表示される検出された管理台帳情報のいくつかのエントリを印刷し、巡視点検用帳簿を作成する。例えば、エリアＩＤが検出条件に含まれている場合、第１電柱識別情報、または第２電柱識別情報が当該エリアＩＤを含む管理台帳情報のエントリを検出することになる。また、作業予定日及び経過日数が検出条件に含まれている場合、検出部２２が「巡視日」の「前回」の項目の「巡視日」に記録されている日付情報から作業予定日までの日数が経過日数以上であるエントリを検出することになる（ステップＳｂ１）。
【００６０】
巡視者は、作成された巡視点検用帳簿に従って巡視を行い、巡視点検結果を書面などに記録しておく。操作者は、巡視者から巡視点検結果を受け取り、入力デバイスを操作することにより、入力部２４が巡視点検結果の情報を入力する。入力部２４が入力する巡視点検結果は、記録部２７が電柱個別情報ＤＢ３３に電柱個別情報として記録する。なお、巡視点検結果のうち、管理台帳情報に記録が可能な項目、例えば樹木の種別や高さの情報のうち管理台帳情報に記録されている情報より新しい情報については、記録部２７が記録する（ステップＳｂ２）。そして、次回の定期巡視点検の場合には、新たな情報が記録された管理台帳情報ＤＢ３０から巡視点検用帳簿が作成されることになる（ステップＳｂ３）。
【００６１】
電柱個別情報ＤＢ３３に電柱個別情報が記録された後に、操作者が入力デバイスを操作することにより入力部２４が電柱個別地図データの生成指示を個別地図生成部２６に入力する。当該電柱個別地図データの生成指示が入力される個別地図生成部２６は、電柱個別情報ごとに電柱個別地図データを生成し、電柱個別地図データＤＢ３４に記録する（ステップＳｂ４）。また、個別地図生成部２６は、電柱個別地図データを生成したことを示す情報を管理地図生成部２３に入力すると、管理地図生成部２３は、電柱個別情報ＤＢ３３から電柱個別地図データが生成された電柱個別地図情報を読み出し、読み出した電柱個別地図情報に基づいて、管理地図データに含まれるオブジェクトデータの書き換え、すなわち樹木のシンボルの追加や削除やシンボルの書き換えを行い（ステップＳｂ５）、書き換えを行った管理地図データＤＢ３２に記録する（ステップＳｂ６）。
【００６２】
なお、電柱個別地図情報に基づいて、管理地図データのオブジェクトデータを書き換える際に、引込み線の情報を含めると、管理地図データの表示が煩雑になるため、引込み線は含まず、本線のみの情報を書きかえるようにしてもよい。
【００６３】
次に、図１３を参照し、検出条件を指定し、当該検出条件に該当する箇所を抽出するとともに該当する樹木のシンボルのみを管理地図データに表示させる手順について説明する。
最初に、操作者が入力デバイスを操作し、当該操作を受けた入力部２４が検出条件を検出部２２に入力する（ステップＳｃ１）。ここで、検出条件とは、例えばエリアＩＤ及びランク情報、樹木の種別情報や高さ情報などであり、以下の手順では、エリアＩＤとランク情報が検出条件に含まれている場合について説明する。検出部２２は、検出条件に基づいて、管理台帳情報ＤＢ３０から該当するエントリを検出し、表示部２１により表示画面１０の画面に表示させる。当該画面を印刷することで操作者は、条件抽出帳簿を作成することができる（ステップＳｃ２）。次に、操作者が入力デバイスを操作し、当該操作を受けた入力部２４が検出条件に一致した樹木を含む管理地図データの生成指示を管理地図生成部２３に入力する（ステップＳｃ３）。管理地図生成部２３は、入力部２４から当該生成指示が入力されると、検出条件に含まれるエリアＩＤの管理地図データを管理地図データＤＢ３２から読み出し、画面に表示されている管理台帳情報に基づいて、読み出した管理地図データから検出条件に一致した樹木のシンボルのみが含まれる管理地図データを生成し、表示部２１により表示装置１０の画面に表示させる（ステップＳｃ４）。
【００６４】
上記の手順により、操作者は、伐採を必要とするランクの樹木のみを管理地図データに表示させることができ、伐採作業を行う必要のある箇所を視認により容易に確認することができる。
【００６５】
なお、検出条件に一致する樹木のシンボルのみを表示させ処理は、管理地図データに含まれるオブジェクトデータに、予めシンボルを表示させるか、あるいは表示させないかを示すフラグが設けられており、当該フラグを操作することにより表示させるか、あるいは表示させないか選択させるようにすることで実現できる。
【００６６】
また、上記の実施形態では、検出条件に一致する樹木のシンボルのみを表示させるとしたが、本発明は、この実施形態に限られず、例えば、検出条件に一致する樹木のシンボルのみを別の色にして表示させるようにしてもよい。
【００６７】
次に、図１４を参照し、樹木の生育を予測し、管理地図データに表示させる手順について説明する。
最初に、操作者が入力デバイスを操作し、当該操作を受けた入力部２４が樹木の生育を予測した管理地図データの生成指示を管理地図生成部２３に入力する（ステップＳｄ１）。当該生成指示にはエリアＩＤと作業予定日が含まれており、管理地図生成部２３は、入力部２４から当該生成指示が入力されると、生成指示に含まれるエリアＩＤに該当する管理台帳情報を管理台帳情報ＤＢ３２から読み出し、「樹木」の項目の「種別」の項目に記録されている種別情報に基づいて、生育率情報ＤＢ３５から当該種別情報に対応する生育率を読み出す。そして、当該生成指示に含まれている作業予定日と「前回」の項目の「巡視日」の項目に記録されている日付情報との差を算出し、算出した差に生育率を乗算する。この乗算により樹木が生育したと予想される長さが算出される。そして、「樹木」の項目の「高さ」の項目に記録される前回の巡視の際の高さに算出した長さを加算し、加算した値を作業予定日における当該樹木の高さとする（ステップＳｄ２）。次に、管理地図生成部２３は、管理地図データＤＢ３２から、当該生成指示に含まれるエリアＩＤに対応する管理地図データを読み出し、作業予定日における樹木の高さに基づいて、読み出した管理地図データから樹木のシンボルを所定のシンボルへ変更した管理地図データを生成し、表示部２１により表示装置１０の画面に表示させる（ステップＳｄ３）。
【００６８】
上記の構成により、操作者は、表示装置１０の画面に表示される管理地図データを視認することで、成長のあった樹木を容易に判別することが可能となる。
【００６９】
なお、上記の実施形態において、シンボルの変更は管理地図データに含まれるオブジェクトデータを変更することによって行われる。
また、上記の所定のシンボルとは、例えば、生育の度合いに対応する大きさのシンボルや、また、生育の度合いに対応する色彩のシンボルなどが適用される
【００７０】
また、上記の実施形態では、生育のあったシンボルを全て変更するようにしているが、本発明は、この実施形態に限られず、入力される生成指示に、所定の高さの情報を含めさせておき、当該所定の高さ以上に成育した樹木のシンボルのみを表示させるようにしてもよい。
【００７１】
また、図１４を参照して説明した生育率を予測して管理地図データのシンボルの表示を変更する処理は、管理地図データだけでなく、電柱個別地図データにも適用することが可能である。その場合、電柱個別情報の「樹木」の項目と、生育率情報ＤＢ３５に記憶される生育率に基づいて、個別地図生成部２６が、生育した場合の高さ情報を算出し、電柱個別地図データＤＢ３４に記録される電柱個別地図データのオブジェクトデータを変更することによって実現することができる。
【００７２】
なお、本発明の、第１の記憶手段は、管理台帳情報ＤＢ３０に対応し、第２の記憶手段は、地図データ・対応関係情報ＤＢ３１に対応し、第３の記憶手段は、管理地図データＤＢ３２に対応する。また、本発明の管理地図生成手段は、管理地図生成部２３に対応し、表示手段は、表示部２１に対応し、切替手段は、切替部２５に対応する。また、本発明の入力手段及び第２の入力手段は、入力部２４に対応し、記録手段及び第２の記録手段は、記録部２７に対応し、個別地図生成手段は、個別地図生成部２６に対応し、検出手段は、検出部２２に対応する。また、本発明の第４の記憶手段は、電柱個別情報ＤＢ３３に対応し、第５の記憶手段は、電柱個別地図データＤＢ３４に対応し、第６の記憶手段は、生育率情報ＤＢ３５に対応する。
【００７３】
上述の架設設備管理装置１は内部に、コンピュータシステムを有している。そして、上述した架設設備管理装置１の各機能部の処理は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００７４】
【図１】本実施形態による架設設備管理装置の内部構成を示すブロック図である。
【図２】同実施形態における管理台帳情報のデータ構成を示した図である。
【図３】同実施形態における地図データ及び対応関係情報のデータ構成を示した図である。
【図４】同実施形態における電柱個別情報のデータ構成を示した図である。
【図５】同実施形態における生育率情報のデータ構成を示した図である。
【図６】本実施形態による地図データが表示された状態を示した線図である。
【図７】同実施形態における樹木のシンボルを示した線図である。
【図８】同実施形態における樹木のシンボルが描かれる状態を示した線図である。
【図９】同実施形態における管理地図データが表示された状態を示した線図である。
【図１０】同実施形態における電柱個別地図データが表示された状態を示した線図である。
【図１１】同実施形態における管理台帳情報・管理地図データの生成手順を示した図である。
【図１２】同実施形態における定期巡視点検の手順を示した図である。
【図１３】同実施形態における検出条件が指定された場合の管理台帳情報の抽出及び管理地図データの表示の手順を示した図である。
【図１４】同実施形態における樹木の生育予測に基づく管理地図データの表示の手順を示した図である。
【符号の説明】
【００７５】
１  架設設備管理装置
１０  表示装置
２０  制御装置
２１  表示部
２２  検出部
２３  管理地図生成部
２４  入力部
２５  切替部
２６  個別地図生成部
２７  記録部
３０  管理台帳情報ＤＢ
３１  地図・対応関係情報ＤＢ
３２  管理地図データＤＢ
３３  電柱個別情報ＤＢ
３４  電柱個別地図データＤＢ
３５  生育率情報ＤＢ
【図１】
0004630162.tif 000002
【図２】
0004630162.tif 000003
【図３】
0004630162.tif 000004
【図４】
0004630162.tif 000005
【図５】
0004630162.tif 000006
【図６】
0004630162.tif 000007
【図７】
0004630162.tif 000008
【図８】
0004630162.tif 000009
【図９】
0004630162.tif 000010
【図１０】
0004630162.tif 000011
【図１１】
0004630162.tif 000012
【図１２】
0004630162.tif 000013
【図１３】
0004630162.tif 000014
【図１４】
0004630162.tif 000015